(57)【要約】【課題】本発明は、無線移動通信システムの分散された基地局サブシステムにおいてマルチプロトコルクライアント信号を伝送する方法を提供することを目的とする。【解決手段】本発明の伝送方法は、ＧＦＰ-Ｔフレームによってクライアント信号をカプセル化し、クライアント信号の送信を行うために前記ＧＦＰ-Ｔフレームを下位層送信リンク中にマップするステップを含んでいる。下位層の伝送リンクは共通の公衆無線インターフェースＣＰＲＩリンクである。【選択図】図２０ａ
2007124608.tif 000002
【特許請求の範囲】
【請求項１】
ＧＦＰ-Ｔフレームによってクライアント信号をカプセル化し、
クライアント信号の送信を行うために前記ＧＦＰ-Ｔフレームを下位層送信リンク中にマップするステップを含んでいる無線移動通信システムの分散された基地局サブシステムにおいてマルチプロトコルクライアント信号を伝送する方法。
【請求項２】
前記下位層の伝送リンクは共通の公衆無線インターフェースＣＰＲＩリンクである請求項１記載の分散された基地局サブシステムにおいてマルチプロトコルクライアント信号を伝送する方法。
【請求項３】
前記クライアント信号は、ＣＰＲＩプロトコルによってサポートされたＷＣＤＭＡのベースバンドＩ／Ｑ信号、ＷＣＤＭＡ以外の無線インターフェースプロトコルのベースバンドＩ／Ｑ信号、Ｅ１／Ｔ１、ＳＴＭ-１およびその他の一定レートリンクの構造化信号、イーサネット（登録商標）ＭＡＣフレーム信号、ＰＰＰ／ＨＤＬＣフレーム信号のような構造化可変レートリンク信号の１つである請求項２記載の分散された基地局サブシステムにおいてマルチプロトコルクライアント信号を伝送する方法。
【請求項４】
異なった搬送周波数に対するアンテナブランチのベースバンドＩ／Ｑ信号および同じ無線インターフェースプロトコルのベースバンドＩ／Ｑ信号は時間多重化され、その後同じＧＦＰ-Ｔチャンネルの各ＧＦＰ-Ｔフレームにおいてカプセル化され、
異なったＧＦＰ-ＴチャンネルはＧＦＰ-Ｔフレームレベル多重化され、その後ＣＰＲＩフレームの同じ位置にマップされてマルチプロトコル伝送を行う請求項２または３記載の分散された基地局サブシステムにおいてマルチプロトコルクライアント信号を伝送する方法。
【請求項５】
異なった搬送周波数に対するアンテナブランチのベースバンドＩ／Ｑ信号および同じ無線インターフェースプロトコルのベースバンドＩ／Ｑ信号は時間多重化され、その後同じＧＦＰ-Ｔチャンネルの各ＧＦＰ-Ｔフレームにおいてカプセル化され、
異なったＧＦＰ-Ｔチャンネルはそれぞれ、ＣＰＲＩフレーム内多重化を使用してマルチプロトコル伝送を行うようにＣＰＲＩリンクの異なった位置に対してセグメントに分かれた形でマップされる請求項２または３記載の分散された基地局サブシステムにおいてマルチプロトコルクライアント信号を伝送する方法。
【請求項６】
ＧＦＰ-Ｔフレームにおいて時間多重化されたベースバンドＩ／Ｑ信号のデータフローをカプセル化するステップにおいて、ＧＦＰ-Ｔは詰込み文字を動的に挿入することにより自己適応信号のレート適合を行い、詰込み文字はＩ／Ｑデータフレームの間に挿入される請求項４または５記載の分散された基地局サブシステムにおいてマルチプロトコルクライアント信号を伝送する方法。
【請求項７】
ベースバンドＩ／Ｑ信号が時間多重化されてＧＦＰ-Ｔフレームにおいてカプセル化される前記ステップは、
異なった搬送周波数のベースバンドＩ／Ｑ信号、異なったアンテナのベースバンドＩ／Ｑ信号、および同じタイプの無線インターフェースプロトコルのベースバンドＩ／Ｑ信号が時間多重化された後に同じＧＦＰ-Ｔフレームにおいてカプセル化されるステップを含んでいる請求項４または５記載の分散された基地局サブシステムにおいてマルチプロトコルクライアント信号を伝送する方法。
【請求項８】
ベースバンドＩ／Ｑ信号が時間多重化されてＧＦＰ-Ｔフレームにおいてカプセル化される前記ステップは、
同じ搬送周波数のベースバンドＩ／Ｑ信号、異なったアンテナのベースバンドＩ／Ｑ信号、および同じタイプの無線インターフェースプロトコルのベースバンドＩ／Ｑ信号が時間多重化された後に同じＧＦＰ-Ｔフレームにおいてカプセル化されるステップを含んでいる請求項４または５記載の分散された基地局サブシステムにおいてマルチプロトコルクライアント信号を伝送する方法。
【請求項９】
ベースバンドＩ／Ｑ信号が時間多重化されてＧＦＰ-Ｔフレームにおいてカプセル化される前記ステップは、
同じ搬送周波数のベースバンドＩ／Ｑ信号、同じアンテナのベースバンドＩ／Ｑ信号、および同じタイプの無線インターフェースプロトコルのベースバンドＩ／Ｑ信号が同じＧＦＰ-Ｔフレームにおいてそれぞれカプセル化されるステップを含んでいる請求項４または５記載の分散された基地局サブシステムにおいてマルチプロトコルクライアント信号を伝送する方法。
【請求項１０】
同じ搬送周波数のベースバンドＩ／Ｑ信号、異なったアンテナのベースバンドＩ／Ｑ信号、および同じタイプの無線インターフェースプロトコルのベースバンドＩ／Ｑ信号は時間多重化されてＩ／Ｑデータフレームを形成し、
異なった搬送周波数のＩ／Ｑデータフレームおよび同じタイプの無線インターフェースプロトコルのＩ／Ｑデータフレームは、同じＧＦＰ-Ｔフレームの異なったスーパーブロック中にマップされることにより同じＧＦＰＴチャンネル上に多重化される請求項４または５記載の分散された基地局サブシステムにおいてマルチプロトコルクライアント信号を伝送する方法。
【請求項１１】
Ｍ個の搬送周波数に対する無線信号はそれぞれ、時分割多重化モードを使用してＧＦＰ-Ｔフレームのペイロード部分の異なったスーパーブロックによって送信され、始めのＭ個のスーパーブロックはそれぞれＭ個の異なった搬送周波数に対応し、Ｐ回連続的に反復し、１つのＧＦＰ-Ｔフレームのスーパーブロックの総数はＮ＝ＰＭであり、Ｍ個の搬送周波数は１つのＧＦＰ-Ｔチャンネルの伝送帯域幅を時間多重化し、核搬送周波数に対する無線信号は互いに別々に送信され、ここで、ＭおよびＰは１以上の整数である請求項１０記載の分散された基地局サブシステムにおいてマルチプロトコルクライアント信号を伝送する方法。
【請求項１２】
前記クライアント信号は、非無線インターフェースプロトコルの信号である請求項２または３記載の分散された基地局サブシステムにおいてマルチプロトコルクライアント信号を伝送する方法。
【請求項１３】
非無線インターフェースプロトコルの前記信号は、Ｅ１／Ｔ１、ＳＴＭ-１およびその他の一定レートリンクの構造化信号、イーサネットＭＡＣフレーム信号、ＰＰＰ／ＨＤＬＣフレーム信号のような構造化可変レートリンク信号の１つである請求項１２記載の分散された基地局サブシステムにおいてマルチプロトコルクライアント信号を伝送する方法。
【請求項１４】
非無線インターフェースプロトコルリンクの信号はそれぞれ、対応したＧＦＰ-Ｔフレームにおいてカプセル化され、
対応した非無線インターフェースプロトコルリンクの信号を伝送するＧＦＰ-ＴチャンネルはＧＦＰ-Ｔフレームにおいて時間多重化され、その後ＣＰＲＩフレームの同じ位置にマップされて、マルチプロトコル伝送を行う請求項１３記載の分散された基地局サブシステムにおいてマルチプロトコルクライアント信号を伝送する方法。
【請求項１５】
非無線インターフェースプロトコルリンクの信号はそれぞれ、対応したＧＦＰ-Ｔフレームにおいてカプセル化され、
対応した非無線インターフェースプロトコルリンク信号を伝送するＧＦＰ-ＴチャンネルはＣＰＲＩフレームの異なった位置にマップされて、ＣＰＲＩフレーム内多重化を使用してマルチプロトコル伝送を行う請求項１３記載の分散された基地局サブシステムにおいてマルチプロトコルクライアント信号を伝送する方法。
【請求項１６】
クライアント信号をカプセル化した異なったＧＦＰ-Ｔチャンネルは複数のグループに分割され、前記ＧＦＰ-Ｔチャンネルの各グループはまとめてＧＦＰ-Ｔフレームレベル多重化され、
ＧＦＰ-Ｔフレームレベル多重化された信号フローの異なったグループは、ＣＰＲＩフレームの異なった位置にマップされて、ＣＰＲＩフレーム内多重化によってマルチプロトコル伝送を行う請求項２または３記載の分散された基地局サブシステムにおいてマルチプロトコルクライアント信号を伝送する方法。
【請求項１７】
ＧＦＰ-Ｔフレームの拡張ヘッダは、クライアント信号がＧＦＰ-Ｔフレームにおいてカプセル化されるように、無線インターフェースプロトコルのベースバンドＩ／Ｑ信号のフレームタイミング情報を送信する請求項２または３記載の分散された基地局サブシステムにおいてマルチプロトコルクライアント信号を伝送する方法。
【請求項１８】
ＧＦＰ-Ｔフレームの拡張ヘッダは、ＧＦＰ-Ｔフレームチャンネルにおいてカプセル化されたベースバンドＩ／Ｑ信号の少なくとも１つの通路のフレームタイミング情報を伝送する請求項１７記載の分散された基地局サブシステムにおいてマルチプロトコルクライアント信号を伝送する方法。
【請求項１９】
前記ＧＦＰ-Ｔフレームの拡張ヘッダは、異なったクライアント信号チャンネルを示す１つの８ビットチャンネル識別子ＣＩＤと、１つの１ビットチャンネルタイプインジケータＣＴＩと、ＧＦＰ-Ｔチャンネルにおいてカプセル化されたベースバンドＩ／Ｑ信号の第１の通路の無線フレーム開始位置をマークする１６ビット無線フレーム開始ポインタと、無線フレーム開始ポインタによって示された無線フレーム開始位置の後（あるいはそれの前）の無線フレームに対応したフレーム番号をマークする１６ビット基地局フレーム番号と、ＧＦＰ-ＴフレームがＧＦＰフレームの前記拡張ヘッダを含んでいることを表すために００１１〜１１１１の間の任意の値をペイロードヘッダＥＸＩフィールドに割当てる拡張ヘッダエラー制御ｅＨＥＣフィールドとから構成されており、前記チャンネルタイプインジケータＣＴＩが含まれているバイト中の別のビットは予約済みビットであり、前記ＣＴＩはＧＦＰ-Ｔチャンネルのタイプを示して、クライアント信号が無線インターフェースプロトコルのベースバンドＩ／Ｑ信号であるか否かを示すためのものであり、否である場合は無線フレーム開始ポインタおよび基地局フレーム番号フィールドが無視される請求項１８記載の分散された基地局サブシステムにおいてマルチプロトコルクライアント信号を伝送する方法。
【請求項２０】
前記ＧＦＰ-Ｔフレームの拡張ヘッダは、異なったクライアント信号チャンネルを示す８ビットチャンネル識別子ＣＩＤと、１つの１ビットチャンネルタイプインジケータＣＴＩと、獲得されたベースバンドＩ／Ｑ信号の無線フレーム開始位置の後（あるいはそれの前）の無線フレームに対応したフレーム番号をマークする１６ビット基地局フレームと、拡張ヘッダエラー制御ｃＨＥＣフィールドとから構成されており、前記ＣＴＩが含まれているバイト中の別のビットは予約済みビットであり、前記ＣＴＩはＧＦＰ-Ｔチャンネルのタイプを示して、クライアント信号が無線インターフェースプロトコルのベースバンドＩ／Ｑ信号であるか否かを示すためのものであり、否である場合は基地局フレーム番号フィールドが無視される請求項１７記載の分散された基地局サブシステムにおいてマルチプロトコルクライアント信号を伝送する方法。
【請求項２１】
６４Ｂ／６５Ｂコードブロックの制御文字は対応したベースバンドＩ／Ｑ信号のフレーム境界インジケータとして使用され、１つのＧＦＰフレームのペイロードタイプ識別子ＰＴＩが“０００”であってユーザペイロードタイプ識別子ＵＰＩが“１１１１，０００〜１１１１，１１１０”の範囲の特有の値をとったとき、それはＧＦＰ-Ｔフレームによって伝送されたクライアント信号が８Ｂ／１０Ｂコード化信号ではないことを表し、それにより８Ｂ／１０Ｂコード化信号から６４Ｂ／６５Ｂコード化信号への変換は行われず、クライアント信号は直接送信される請求項２０記載の分散された基地局サブシステムにおいてマルチプロトコルクライアント信号を伝送する方法。
【請求項２２】
６４Ｂ／６５Ｂコードブロックの制御文字の最上位ビットｂ７は、その６４Ｂ／６５Ｂコードブロック中の後続するバイトが制御文字であるか否かを示すためのものであり、ｂ４〜ｂ０は制御コード自身を送信するためのものであり、ｂ６〜ｂ４は元のクライアント信号フロー中において制御文字の位置をマークするためのものであり、制御文字は６４Ｂ／６５Ｂコード化信号から８Ｂ／１０Ｂコード化信号に復元するためのものではない請求項２１記載の分散された基地局サブシステムにおいてマルチプロトコルクライアント信号を伝送する方法。
【請求項２３】
１つの義務的制御文字は詰込み文字であり、別のオプションの制御文字は無線フレーム境界指示文字である請求項２２記載の分散された基地局サブシステムにおいてマルチプロトコルクライアント信号を伝送する方法。
【請求項２４】
詰込み文字は“１１１１”で表され、無線フレーム境界指示文字は“１０１０”で表され、詰込み文字は自己適応信号レート適合を行うためのものであり、無線フレーム境界指示文字は無線インターフェースプロトコルのベースバンドＩ／Ｑ信号のフレームタイミング情報を送信するためのものである請求項２３記載の分散された基地局サブシステムにおいてマルチプロトコルクライアント信号を伝送する方法。
【請求項２５】
前記異なったＧＦＰ-Ｔチャンネルをセグメントに分かれた形でＣＰＲＩリンクの異なった位置にそれぞれマップするステップは、制御ワードを除いたＣＰＲＩフレームの部分に前記ＧＦＰ-Ｔフレームをマップすることである請求項５記載の分散された基地局サブシステムにおいてマルチプロトコルクライアント信号を伝送する方法。
【請求項２６】
異なったＧＦＰ-ＴチャンネルのＧＦＰ-ＴフレームをＣＰＲＩにマップすることにより、パックされた位置モードまたはフレキシブルな位置モードが採用されることができ、パックされた位置モードにおいては、Ａ×Ｃコンテナは基本フレーム中に連続して順にマップされ、残りのビットは予約済みビットとして扱われ、一方フレキシブルな位置モードにおいては、Ａ×Ｃコンテナはアプリケーションにおいて指定された位置にしたがって基本フレーム中にマップされ、そのフレームにおいてＡ×Ｃコンテナにより占有されていない残りのビットは予約済みビットであり、前記異なったＧＦＰ-ＴチャンネルのＧＦＰ-Ｔフレームは１つのＣＰＲＩ基本フレームの異なった位置にマップされるか、あるいは異なったＣＰＲＩ基本フレームの同じセグメント位置にマップされることができる請求項２５記載の分散された基地局サブシステムにおいてマルチプロトコルクライアント信号を伝送する方法。
【請求項２７】
Ａ×Ｃコンテナは、前のＣＰＲＩ仕様にしたがってＷＣＤＭＡのベースバンドＩ／Ｑ信号を直接伝送するために使用され、一方制御ワードを除いたＣＰＲＩフレームとＷＣＤＭＡのベースバンドＩ／Ｑ信号を伝送するＡ×Ｃコンテナの帯域幅は、ＧＦＰ-Ｔフレーム中にカプセル化された前記クライアント信号を送信するためのものである請求項２５または２６記載の分散された基地局サブシステムにおいてマルチプロトコルクライアント信号を伝送する方法。
【請求項２８】
ＷＣＤＭＡを含む全ての無線インターフェースプロトコルおよび非無線インターフェースプロトコルの信号は、前記信号をＧＦＰ-Ｔフレーム中にカプセル化し、異なったＧＦＰＴチャンネルをセグメントに分かれた形でＣＰＲＩリンクにそれぞれマップするステップによって送信され、ＷＣＤＭＡ同期情報を含むＣＰＲＩフレームの制御ワードは前のＣＰＲＩ仕様にしたがって依然として使用される請求項２５または２６記載の分散された基地局サブシステムにおいてマルチプロトコルクライアント信号を伝送する方法。
【請求項２９】
無線移動通信システムの分散された基地局サブシステムにおいてマルチプロトコルクライアント信号の送信を行うための送信端末装置において、
請求項１乃至２８のいずれか１項記載の方法にしたがってＧＦＰ-Ｔフレームに送信されるクライアント信号を形成するＧＦＰ-Ｔフレーム化およびカプセル化装置(10)と、
マルチプロトコル送信を行うように前記受信された各ＧＦＰ-Ｔフレームを請求項１乃至２８のいずれか１項記載の方法にしたがってＣＰＲＩフレームの特定の位置にマップするＣＰＲＩマップ装置(30)とを備えている送信端末装置。
【請求項３０】
さらに、前記ＧＦＰ-Ｔフレーム化およびカプセル化装置と前記ＣＰＲＩマップ装置との間に配置され、前記ＧＦＰ-Ｔフレーム化およびカプセル化装置により受信されたクライアント信号のＧＦＰ-Ｔ信号フローが送信スケジュール化によってＧＦＰ-Ｔフレームレベル多重化を行うようにするＧＦＰ-Ｔフレームレベル多重化装置(20)を備えている請求項２９記載の送信端末装置。
【請求項３１】
前記クライアント信号は、ＣＰＲＩプロトコル以外の無線インターフェースプロトコルによってサポートされたベースバンドＩ／Ｑ信号、ＧＦＰ-Ｔ仕様にしたがって６４Ｂ／６５Ｂラインコード化信号に変換されその後６４Ｂ／６５Ｂコードブロックを形成して対応したＧＦＰ-Ｔフレームを構成する非無線インターフェースプロトコルの８Ｂ／１０Ｂラインコード化信号、および８Ｂ／１０Ｂラインコード化信号から６４Ｂ／６５Ｂラインコード化信号への変換を行うのではなく６４Ｂ／６５Ｂコードブロックを直接形成して対応したＧＦＰ-Ｔフレームを構成する非無線インターフェースプロトコルの非８Ｂ／１０Ｂラインコード化信号の１つを含んでいる請求項２９または３０記載の送信端末装置。
【請求項３２】
前記ＧＦＰ-Ｔフレーム化およびカプセル化装置は、
クライアント信号の各通路を６４Ｂ／６５Ｂコードブロックに形成する６４Ｂ／６５Ｂ符号化装置(11)と、
前記別の無線インターフェースプロトコルによってサポートされたベースバンドＩ／Ｑ信号をＩ／Ｑデータフレームに形成するＩ／Ｑデータフレーム多重化装置(11)と、
前記形成された６４Ｂ／６５ＢコードブロックをＧＦＰ-Ｔフレームにそれぞれ形成するＧＦＰ-Ｔフレーム形成装置とを備えている請求項２９または３０記載の送信端末装置。
【請求項３３】
無線移動通信システムの分散された基地局サブシステムにおいてマルチプロトコルクライアント信号の伝送を行うための受信端末装置において、
ＣＰＲＩフレームを処理して、ＷＣＤＭＡのＩ／Ｑ信号と、ＣＰＲＩ制御と、管理および同期データと、ＧＦＰ-Ｔフレーム信号フローとを分離するように処理するＣＰＲＩフレーム処理装置(130)と、
ＧＦＰ-Ｔフレームを処理して各ＧＦＰ-Ｔチャンネルの信号フローを分離するＧＦＰ-Ｔフレーム処理およびデマルチプレクス装置(100)と、
各ＧＦＰ-Ｔチャンネルにおける６４Ｂ／６５Ｂのコードブロックからクライアント信号の各通路を抽出するための６４Ｂ／６５Ｂ復号装置(110)と、
１つの無線インターフェースプロトコルの信号フローと、その対応した無線フレーム同期と、および対応したＧＦＰ-Ｔフレームから抽出された別の情報とから各アンテナ搬送波のＩ／Ｑ信号フローを分離するＩ／Ｑデータフレームデマルチプレクス装置(120)とを備えている受信端末装置。
【請求項３４】
前記クライアント信号は、ＣＰＲＩプロトコル以外の無線インターフェースプロトコルによってサポートされたベースバンドＩ／Ｑ信号と、非無線インターフェースプロトコルの８Ｂ／１０Ｂラインコード化信号と、および非無線インターフェースプロトコルの非８Ｂ／１０Ｂラインコード化信号の１つを含んでいる請求項３３記載の受信端末装置。
【請求項３５】
無線移動通信システム内の分散された基地局サブシステムにおいてマルチプロトコルクライアント信号の伝送を行う装置において、
請求項２９乃至３２のいずれか１項記載の送信端末装置と、請求項３３または３４記載の受信端末装置とを備えている装置。
【請求項３６】
命令は請求項１乃至２８のいずれか１項記載の方法を行うことができるマシン読出し可能な命令を含んでいるソフトウェア製品。
【請求項３７】
請求項１乃至２８のいずれか１項記載の方法を行うことができるマシン読出し可能な命令が記憶された記憶媒体。
【発明の詳細な説明】
【技術分野】
【０００１】
本発明は、移動通信システムにおける分散された基地局技術に関し、とくに、分散された基地局システムにおけるＣＰＲＩベースのマルチプロトコル信号伝送方法およびこの方法を実施する装置に関する。
【背景技術】
【０００２】
本発明は、この明細書においてその全文が参考文献とされている中国特許出願第200510114750.2号（2005年10月26日出願）について優先権を主張している。
【０００３】
１．分散された基地局および共通公衆無線インターフェース（ＣＰＲＩ）
移動通信システムにおいて、無線アクセスネットワークは典型的に、ベーストランシーバ（ＢＴＳ）と、複数のベーストランシーバを制御する基地局制御装置（ＢＳＣ）または無線ネットワーク制御装置（ＲＮＣ）とから構成されている。図１のａに示されているように、ベーストランシーバは主にベースバンド処理サブシステム、ＲＦサブシステムおよびアンテナ等を備え、無線信号の送信、受信および処理を行う役割をもっている。図１のｂに示されているように、基地局は複数のアンテナによって異なったセルをカバーすることができる。
【０００４】
移動通信システムには、高層建造物内の屋内カバレージや目に見えないエリアまたは陰の区域のカバレージのような無線ネットワークカバレージに関する問題が存在し、通常の基地局技術を使用してその問題を解決することは困難である。ＲＲＵ技術はまさに上述した問題に関して提案された有効な解決方法である。ＲＲＵを使用する分散された基地局システムにおいて、主ＲＦ装置およびアンテナは、カバレージが必要とされるエリアに取付けられ、広帯域伝送ラインを介して基地局の主ベースバンド処理装置に接続され、このとき、遠隔無線装置と主ベースバンド処理装置とを接続する広帯域伝送ラインは典型的に、光ファイバ、銅ケーブルおよびマイクロ波等のような伝送媒体を使用する。
【０００５】
遠隔無線装置と主ベースバンド処理装置との間における無線信号伝送は、アナログ信号伝送方式とデジタル信号伝送方式の両者を採用することができる。アナログ信号伝送方式を採用することにより無線信号伝送を行うことはさらに容易であるが、しかし雑音およびその他の妨害成分がアナログラインにおいて混合されることは避けられず、また、この伝送における信号変調歪はまた非線形歪を生じさせる。したがって、遠隔無線装置と主ベースバンド処理装置との間の伝送距離は制限され、通常は数百メートルの範囲内である。それに加えて、アナログ信号伝送は、多重化技術の実施に対して不便であり、伝送ラインの利用性が低い。したがって、共通公衆無線インターフェース（ＣＰＲＩ）は、分散された基地局の典型的なアーキテクチャに関して、デジタル信号伝送技術に基づいて遠隔無線装置と主ベースバンド処理装置との間のインターフェースを標準化しており、ＣＰＲＩの技術的な仕様はウェブサイトhttp://www.cpri.info/spec.html.から入手できる。現在のところ、この標準に基づいた多くの市販の分散基地局システムが開発されている。
【０００６】
ＣＰＲＩ仕様において、“ＲＥ”（無線装置）および“ＲＥＣ”（無線装置制御装置）という用語はそれぞれ、遠隔無線装置および主ベースバンド処理装置に対応し、ＲＥとＲＥＣとの間のインターフェースはＣＰＲＩリンクである。図５に示されているＣＰＲＩプロトコルスタックアーキテクチャにおいて、ユーザプレーンはベースバンドＩ／Ｑデータを送信する役割をもち、一方制御および管理プレーンは主に、高い実時間要求と、層２プロトコルＨＤＬＣ（高レベルデータリンク制御）上を伝送される層３プロトコルデータ（ＣＰＲＩにより定義を与えられていない）と、イーサネット（登録商標）とを有するインバンドシグナリングを含んでいる。ユーザプレーンデータと、制御および管理プレーンデータと、同期データと、および製造業者により指定されたデータとを含むデータの全てが時分割多重化モードにおいて電気または光伝送ライン上で多重化される。
【０００７】
ＣＰＲＩは本質的に、１つの定まったフレーム構造に基づいた同期伝送リンクであり、その基本フレームの長さはＷＣＤＭＡチップの幅、すなわち、１／３．８４ＭＨｚ＝２６０．４１６６６７ｎ（ナノ）秒である。基本フレームは番号Ｗ＝０・・・１５を有する１６のワードから構成され、ここで、番号Ｗ＝０を有するワードは、プレーンデータ、同期データおよびその他の情報の伝送制御および管理用の制御ワードであり、残りのワードはＩ／Ｑデータを伝送するために使用される。現在、ＣＰＲＩは全体で３つのラインレート、すなわち６１４．４Ｍビット／秒、１２２８．８Ｍビット／秒（２×６１４．４Ｍビット／秒）、およよび２４５７．６Ｍビット／秒（２×１２２８．８Ｍビット／秒）を規定しており、どのレートに対するＣＰＲＩのフレーム構造も同じであるが、しかし対応した基本フレームのワード長は異なり、そのワード長はそれぞれ８、１６、３２ビットすなわち１、２、４バイトである。ＣＰＲＩの物理的ラインは８Ｂ／１０Ｂラインコード化を使用し、図６に示されているように、６１４．４Ｍビット／秒のレートを有するＣＰＲＩリンクはラインコード化の前に４９１．５２Ｍビット／秒の情報レートを有し、一方それは８Ｂ／１０Ｂラインコード化の後に６１４．４Ｍビット／秒のラインレートを有する。
【０００８】
基本フレームに基づいて、２５６の全ての各基本フレームはさらにハイパーフレームを構成し、１５０のハイパーフレームは１０ｍ（ミリ）秒の長さを有する１つのＵＭＴＳ物理的フレームに対応する。ＣＰＲＩ仕様において、通常の表記では、Ｚ（Ｚ＝０・・・１４９）は１０ｍ秒の長さを有するＵＭＴＳ物理的フレーム中の対応したハイパーフレームのハイパーフレーム番号を表すために使用され、Ｘ（Ｘ＝０・・・２２５）はハイパーフレーム中の対応した基本フレームのフレーム番号を表すために使用され、Ｗ（Ｗ＝０・・・１５）は１つの基本フレーム中の対応したワードの番号を表すために使用され、Ｙ（Ｙ＝０・・・３）は１つの基本フレームから構成された１つのワードの１つの対応したバイトの番号を表すために使用され、Ｂ（Ｂ＝０・・・３１）は１つの基本フレームから構成された１つのワードの１つの対応したビットの番号を表すために使用される。
【０００９】
ＣＰＲＩ仕様によると、Ｉ／Ｑデータは、Ａ×Ｃコンテナを単位として基本フレームにマップされる。１つのＡ×Ｃコンテナは１つのアンテナの１つの搬送周波数に対する１つのＵＭＴＳチップ中にＩ／Ｑサンプリングデータを含み、一方基本フレームは複数のＡ×Ｃコンテナを含むことができる。したがって、ＣＰＲＩリンクは、複数のアンテナの複数の搬送周波数に対するＩ／Ｑサンプルデータを同時に伝送することができる。Ａ×Ｃコンテナは、パックされた位置およびフレキシブルな位置という２つのモードを使用することにより基本フレーム中にマップされることがてきる。図７に示されているように、パックされた位置モードは、Ａ×Ｃコンテナが基本フレーム中に連続して順にマップされ、残りのビットが予約済みビットであることを示し、一方フレキシブルな位置モードは、Ａ×Ｃコンテナがアプリケーションにおいて指定された位置にしたがって基本フレーム中にマップされ、そのフレーム中のＡ×Ｃコンテナにより占有されていない残りのビットが予約済みビットであることを示す。
【００１０】
２．一般的なフレーム化手順（ＧＦＰ）
一般的なフレーム化手順（ＧＦＰ）はＩＴＵ-ＴおよびＡＮＳＩが共同して推奨した新しい技術であり、ブロックコードまたはパケットタイプのデータフローを、典型的にＳＤＨ（同期デジタル階層構造）、ＯＴＮ（光転送ネットワーク）等のような連続したバイト同期伝送チャンネルに適合させる。ＩＴＵ-Ｔの標準Ｇ．７０４１またはＡＮＳＩの標準Ｔ１Ｘ１．５／２０００-０２４Ｒ３は、ＧＦＰの詳細な技術仕様の参考にされることができる。ＧＦＰは、ＰＤＵ（プロトコルデータ装置）タイプをサポートするフレームマップされたＧＦＰ（ＧＦＰ-Ｆ）とブロックコードタイプをサポートする透明なＧＦＰ（ＧＦＰ-Ｔ）とに分割されることができ、このときＧＦＰ-ＦはＩＰ／ＰＰＰ、ＭＰＬＳおよびイーサネットＭＡＣならびに別のプロトコルパケットの適合のために使用されることができ、ＧＦＰ-Ｔは、ギガビットイーサネットおよびその他のラインのブロックコード化された文字流を適合するために直接使用され、したがって小さい時間遅延要求を有するいくつかの適用を満足させることができるが、しかしＧＦＰ-ＴはＧＦＰ-Ｆと比較してその伝送帯域幅有用性が低い。
【００１１】
１つのＧＦＰフレームはコアヘッダとペイロード部分とから構成されており、ペイロード部分には、ペイロードヘッダと、ペイロードと、およびオプションのペイロードＦＣＳ（フレームチェックシーケンス）とがさらに含まれている。コアヘッダには、ペイロード長を示すＰＬＩフィールドと、コアヘッダエラー制御ｃＨＥＣフィールドとが含まれている。コアヘッダにエラーコード保護を与える機能に加えて、ｃＨＥＣはさらに、ＡＴＭセル境界設定に類似したＧＦＰフレーム境界設定機能を有する。ペイロードヘッダの機能はペイロードのタイプを示すことであり、ｔＨＥＣによってエラーコード保護を与えられ、ここで、ペイロードタイプ識別子（ＰＴＩ）“０００”はＧＦＰフレームがユーザデータを伝送することを示し、ＰＴＩ“１００”はＧＦＰフレームがクライアント管理情報を伝送することを示す。ペイロードＦＣＳインジケータ（ＰＦＩ）はペイロードＦＣＳの存在を示すために使用され、ユーザペイロード識別子（ＵＰＩ）およびＰＴＩは、図２に示されているように、そのペイロード中のユーザデータまたはクライアント管理情報のタイプを示すために使用される。さらに、拡張ヘッダ識別子（ＥＸＩ）はオプションの拡張ヘッダの存在とそのタイプとを示す。現在、拡張ヘッダの１つの典型的な適用は、複数の独立したクライアント信号の多重化をサポートするようにチャンネル識別子（ＣＩＤ）を提供することである。図３は、現在の標準において定められているＧＦＰ拡張ヘッダ識別子を示しており、ここで、ＥＸＩ＝“００００”は、拡張ヘッダが存在しないことを表し、ＥＸＩ＝“０００１”およびＥＸＩ＝“００１０”は論理的ポイント・ツー・ポイント（線形性）の適用および論理的リングリンクのために使用される。ＥＸＩ＝“０００１”のとき、ＩＴＵ-ＴおよびＡＮＳＩによってなされた拡張ヘッダの定義はわずかに異なっており、このときＩＴＵ-Ｔは、多くて２５６の独立したクライアント信号の多重化をサポートするために１つの１バイトのチャンネル識別子（ＣＩＤ）を定義し、一方ＡＮＳＩの標準においてはそのバイトの４つの最上位ビットがあて先ポートを示し、４つの最下位ビットがソースポートを示す。別の方法で定義されているが、ＡＮＳＩによって定義された拡張ヘッダは、ＩＴＵ-Ｔによって定義されたものと同じ機能および基本的要素を有する。
【００１２】
透明なＧＦＰ（ＧＦＰ-Ｔ）はとくに、８Ｂ／１０Ｂラインを直接採用することによりコード化されたクライアント信号を考慮して設計されている。図４に示されているように、ＧＦＰ-Ｔフレームのペイロードは、固定長を有する６４Ｂ／６５Ｂコードブロックによって順次形成された１つのスーパーブロックから構成され、その６４Ｂ／６５Ｂコードブロックはユーザデータ文字および制御文字（詰込み文字を含む）を含んでいる。したがって、その６４Ｂ／６５Ｂコードブロックが制御文字を含んでいるか否かを示すためにフラグビットが使用され、それにおいて、後続する制御文字を示してその元の８Ｂ／１０Ｂコード流の中における制御コードの位置を識別するために制御文字の４つの最上位ビットが使用され、一方その制御コード自身を送信するために４つの最下位ビットが使用される。
【００１３】
３．ＣＰＲＩに関する従来技術に存在する問題
分散された基地局システムにおける遠隔無線装置と主ベースバンド処理装置との間の共通のインターフェース標準としてのＣＰＲＩは、関連している産業によって広く使用されている。しかしながら、ＵＭＴＳ（汎用移動通信システム）のＷＣＤＭＡ（広帯域符号分割多元アクセス）の無線インターフェース標準を直接狙ってＣＰＲＩが提供され、現在その仕様はＷＣＤＭＡだけをサポートする。典型的にＣＤＭＡ２０００、ＣＤＭＡ  Ｏｎｅ（ＩＳ-９５）、ＴＤ-ＣＤＭＡ、ＴＤ-ＳＣＤＭＡ、ＧＳＭ、ＷｉＭＡＸ等のようなＷＣＤＭＡ以外の無線インターフェース標準に対しては、ＣＰＲＩは適用できない。
【００１４】
この問題を考慮すると、米国特許出願第 US2005/0105534A1号（“Encapsulation of diverse protocol over internal interface of distributed radio base station”）には、ＣＰＲＩを使用して別の無線インターフェースプロトコルを伝送する方法が記載されている。この方法の基本的要素は、ＣＰＲＩを使用して無線インターフェースプロトコルのＩ／Ｑサンプリングデータを伝送するために、多重化および固定位置詰め物を使用することによって別の無線インターフェースプロトコルのＩ／ＱデータレートをそのＣＰＲＩのリンクレートに適合させることである。一例として３搬送周波数ＣＤＭＡ２０００  １Ｘをあげると、そのチップレートは１．２２８８Ｍｃｐｓであり、ＵＭＴＳのチップレートに対するその比は８：２５である。したがって、２５のＣＰＲＩ基本フレームごとにその２４の基本フレームがその３搬送周波数ＣＤＭＡ２０００  １ＸのＩ／Ｑデータを送信するために使用されることができ、また、残りの１つの基本フレームのＩ／Ｑデータ部分は図８に示されているように詰め物で置換される。
【００１５】
上述の特許出願と同時に提出された別の米国特許出願第 US2005/010555A1号（“Encapsulation of independent transmissions over internal interface of distributed radio base station”）には、Ｅ１、ＳＴＭ-１、イーサネット、ＰＰＰ／ＨＤＬＣのような非無線インターフェースプロトコルの信号をＣＰＲＩに基づいて伝送する技術が記載されており、その方法は米国特許出願第 US2005/0105534A1号に記載されたものに類似している。図９は、この技術の典型的な応用、すなわち、ＷＣＤＭＡおよびＧＳＭ  Ｍｉｎｉ-ＢＴＳが同じ場所に配置された例を示している。ＷＣＤＭＡおよびＧＳＭ  Ｍｉｎｉ-ＢＴＳは容積（ｖｏｌｕｍｅ）、動作環境および別の特徴に関して似ているため、それらを同じ場所に配置してネットワーク構成費用を減少させることが可能である。ＧＳＭ  Ｍｉｎｉ-ＢＴＳとＧＳＭネットワークとの間の接続には、Ｅ１を物理的リンクとして使用するＡｂｉｓインターフェースと、１０Ｍイーサネットをインターフェースとして使用する局部管理インターフェースとが含まれている。したがって、上述した技術により、ＣＰＲＩリンクは、ＷＣＤＭＡ  ＲＥおよびＥ１、１０Ｍイーサネット、ならびにＧＳＭ  Ｍｉｎｉ-ＢＴＳにおいて使用されたその他のリンクのＣＰＲＩインターフェース信号を同時に伝送するために使用されることができる。
【発明の開示】
【発明が解決しようとする課題】
【００１６】
上述の米国特許出願に記載されている解決方法は、別の無線インターフェースプロトコルのＩ／ＱデータおよびＥ１、ＳＴＭ-１等のような非無線インターフェースプロトコルの信号の伝送をＣＰＲＩリンクの使用により行うために使用されることができるが、しかしこれら２つの解決方法には依然として以下の問題がある：
・その解決方法は多重化および固定位置詰込みを使用して、ＷＣＤＭＡベースバンド信号以外のクライアント信号（別の無線インターフェースプロトコルのＩ／Ｑ信号およびＥ１、ＳＴＭ-１、イーサネット、ＰＰＰ／ＨＤＬＣ等のような非無線インターフェースプロトコルの信号を含む）のレート整合を行う。しかしながら、実際の適用においては種々の複合的なクライアント信号伝送の組合せ（信号タイプ、各タイプの信号の量、搬送周波数の数および信号帯域幅等を含む）が発生する可能性がある。したがって、これらの解決方法に基づいて、多重化および固定位置詰込みの解決方法は、あらゆる可能な組合せを考慮して対応的に設計される必要がある。実際の適用状況は複雑に変化するため、これらの解決方法に基づいて標準化を行うことはできず、したがって実際の適用では多くの問題が発生する；
・種々のクライアント信号が存在し、クライアント信号のレートがＣＰＲＩラインレート（またはＷＣＤＭＡチップレート）との単純な比例関係を有していないとき、固定位置詰込みの設計および実現は非常に複雑になる；
・イーサネット、ＰＰＰ／ＨＤＬＣの信号およびその他の一定でないレートのリンク信号を伝送する必要があるとき、クライアント信号のレート変化のために、これらの解決方法にしたがって固定位置詰込みを行うことは困難である；
・ＷＣＤＭＡのフレームタイミング情報はＣＰＲＩリンクから抽出されることができるが、しかし非構造化クライアント信号（すなわち、無線インターフェースＩ／Ｑサンプリングデータのようなフレーム構造をもたない信号）が上記の解決方法を使用して伝送されたとき、上記の特許においては、クライアント信号のフレームタイミング情報を抽出して復元する方法は提供されていない。
【００１７】
上述によると、現在のＣＰＲＩ標準方式は、ＷＣＤＭＡ無線インターフェース技術にのみ適用可能であり、一方別のクライアント信号（別の無線インターフェースプロトコルのＩ／Ｑ信号、ならびにＥ１、ＳＴＭ-１、イーサネットおよびその他の伝送ラインの信号を含む）を送信するためにＣＰＲＩを使用する既存の技術には依然としていくつかの不合理な問題がある。本発明は、この問題に対して使用可能な有効な方法を提供する。
【課題を解決するための手段】
【００１８】
本発明によると、ＣＰＲＩリンクによって送信される全てのクライアント信号（別の無線インターフェースプロトコルのＩ／Ｑ信号、ならびにＥ１、ＳＴＭ-１、イーサネットおよびその他の伝送ラインの信号を含む）は最初に１つのＧＦＰ-Ｔフレーム中にカプセル化され、その後そのＧＦＰ-Ｔフレームが１つのＣＰＲＩフレームにマップされ、それによってＣＰＲＩリンクを使用してその対応したクライアント信号を送信する目的を達成する。本発明においてＣＰＲＩリンクは伝送リンクとして動作するが、しかし、ＧＦＰ-Ｔフレームが最初に別の無線インターフェースプロトコルのＩ／Ｑ信号、ならびにＥ１、ＳＴＭ-１、イーサネットおよび別の伝送ラインの信号を含むクライアント信号をカプセル化し、その後前記ＧＦＰ-Ｔフレームが下位層の伝送リンクにマップされる本発明に記載された方法は、遠隔無線装置とＯＢＳＡＩ（Open Base Station Architecture Initiative）において指定されたリンクのような主ベースバンド処理装置との間の別のタイプの同期伝送リンクに対しても適用可能であることに注意すべきである。
【００１９】
一般的に述べると、本発明の第１の特徴は、無線移動通信システムの分散された基地局サブシステムにおいてマルチプロトコルクライアント信号を伝送する方法を提供し、この方法は、
ＧＦＰ-Ｔフレームによってクライアント信号をカプセル化し、
クライアント信号の送信を行うために前記ＧＦＰ-Ｔフレームを下位層送信リンク中にマップするステップを含んでいる。
【００２０】
好ましい実施形態において、下位層送信リンクは共通の公衆無線インターフェースＣＰＲＩリンクである。
【００２１】
本発明の第２の特徴は、無線移動通信システムの分散された基地局サブシステムにおいてマルチプロトコルクライアント信号の送信を行うための送信端末装置を提供し、この送信端末装置は、
本発明の上記の方法にしたがってＧＦＰ-Ｔフレームに送信されるクライアント信号を形成するＧＦＰ-Ｔフレーム化およびカプセル化装置と、
マルチプロトコル送信を行うために前記受信された各ＧＦＰ-Ｔフレームを本発明の上記の方法にしたがってＣＰＲＩフレームの特定の位置にマップするＣＰＲＩマップ装置とを備えている。
【００２２】
本発明の第３の特徴は、無線移動通信システムの分散された基地局サブシステムにおいてマルチプロトコルクライアント信号の伝送を行うための受信端末装置を提供し、この受信端末装置は、
ＣＰＲＩフレームを処理して、ＷＣＤＭＡのＩ／Ｑ信号と、ＣＰＲＩ制御、管理および同期データと、ＧＦＰ-Ｔフレーム信号フローとを分離するためのＣＰＲＩフレーム処理装置と、
ＧＦＰ-Ｔフレームを処理して各ＧＦＰ-Ｔチャンネルの信号フローを分離するためのＧＦＰ-Ｔフレームの処理およびデマルチプレクス装置と、
各ＧＦＰ-Ｔチャンネルにおける６４Ｂ／６５Ｂのコードブロックからクライアント信号の各通路を抽出するための６４Ｂ／６５Ｂ復号装置と、
各アンテナ搬送波のＩ／Ｑ信号フローを無線インターフェースプロトコルの信号フローと、対応した無線フレーム同期と、および対応したＧＦＰ-Ｔフレームから抽出された別の情報とから分離するＩ／Ｑデータフレームデマルチプレクス装置とを備えている。
【００２３】
本発明の第４の特徴は、無線移動通信システム内の分散された基地局サブシステムにおいてマルチプロトコルクライアント信号の伝送を行う装置を提供し、この装置は本発明による上記の送信端末装置および受信端末装置を備えている。
【００２４】
本発明の第５の特徴は、マシン読出し可能な命令を含んでいるソフトウェア製品を提供し、前記命令は本発明による上記の方法を行うことができる。
【００２５】
本発明の第６の特徴は、マシン読出し可能な命令が記憶された記憶媒体を提供し、前記命令は本発明による上記の方法を行うことができる。
【発明を実施するための最良の形態】
【００２６】
以下、図面を参照して本発明の実施形態を詳細に説明する。これによって、本発明の目的、特徴および利点がさらに明らかになるであろう。  
本発明においては、従来のＣＰＲＩプロトコルによってサポートされたＷＣＤＭＡのＩ／Ｑベースバンド信号を除いて、ＣＰＲＩリンクによって伝送されるクライアント信号は３つのタイプに分割されることができる。１つのタイプはＣＤＭＡ２０００、ＷｉＭＡＸ、ＧＳＭおよび別の無線インターフェースプロトコルのベースバンドＩ／Ｑ信号が関与するものであり、このタイプの信号は非構造化クライアント信号であり、このタイプの信号は一定のレートを有し、フレーム構造を持たず、伝送プロトコルは異なった搬送周波数に対する異なったアンテナのベースバンドＩ／Ｑ信号の多重化を行うと共に、無線フレームスタートアップおよび基地局フレーム番号等を含む無線インターフェースプロトコルに対応したフレームタイミング情報を提供する必要があることを特徴とする。一方、マルチアンテナ技術［（たとえば、送信ダイバーシティ、受信ダイバーシティ、マルチアンテナ送受信（ＭＩＭＯ）、およびインテリジェントアンテナまたはアンテナアレイ等）を使用する無線システムに関しては、各アンテナ信号の間に厳密な時間および位相関係が存在し、各アンテナ信号の伝送時間遅延が伝送プロセスにおいて完全に同じであることが要求される。第２のタイプは、Ｅ１／Ｔ１およびＳＴＭ-１等のような一定レートのリンクの構造化信号が関与するものであり、このタイプの信号は一定レートおよび対応したリンクのフレームタイミング情報を伝送する特定のフレーム構造を有し、複数のこのタイプの信号リンクを伝送する必要があるとき、伝送プロトコルは多重化機能を行う必要がある。第３のタイプは、イーサネットＭＡＣフレーム信号、ＰＰＰ／ＨＤＬＣフレーム信号等のような構造化可変レートリンク信号が関与するものであり、このタイプの信号は特定のフレーム構造と、一定でないレートとを有し、複数のこのタイプの信号リンクを伝送する必要があるとき、ＰＰＰ／ＨＤＬＣフレーム信号のような多重化能力を有しない信号の伝送プロトコルに対して多重化機能が行われる必要がある。
【００２７】
１．クライアント信号の多重化方法
１．１  無線インターフェースプロトコルのベースバンドのＩ／Ｑ信号のＧＦＰ-Ｔフレームレベル多重化方法
ベースバンドＩ／Ｑ信号のＧＦＰ-Ｔフレームレベル多重化の第１の好ましい解決方法によると、異なったアンテナのベースバンドＩ／Ｑ信号、異なった搬送周波数のベースバンドＩ／Ｑ信号、および同じタイプの無線インターフェースプロトコルのベースバンドＩ／Ｑ信号は時分割多重化モードを使用して多重化され、その後同じＧＦＰ-Ｔフレーム中にカプセル化され、また、異なったタイプの無線インターフェースプロトコルのベースバンドＩ／Ｑ信号を伝送するＧＦＰ-ＴチャンネルはＧＦＰ-Ｔフレームレベル多重化され、
その後ＣＰＲＩフレームの同じ位置にマップされてマルチプロトコル伝送を行う。この好ましい解決方法は、とくに、ＧＳＭおよびＰＨＳ等のような狭帯域移動通信システムに適用可能である。このタイプのシステムにおいては、搬送周波数の数は多いが、しかし各搬送周波数に対するベースバンドＩ／Ｑ信号帯域幅（レート）は小さい。したがって、この好ましい解決方法は、とくに、上述のタイプのシステムに適用可能である。
【００２８】
図１０はさらに、上述の解決方法におけるＩ／Ｑデータフレームフォーマットの好ましい実施形態を示している。最初に、各アンテナからの１つの搬送周波数＃ｍ（ｍ＝１，２，・・・Ｍ）に対するＩ／Ｑベースバンド信号が同じサンプリング時間で連続的に配列され、ここで、各アンテナのＩ／Ｑベースバンド信号サンプリング値の配列シーケンスは、アンテナアレイまたはアンテナグループの空間的位置の配列シーケンスと同じであり、同じアンテナのＩ／Ｑベースバンド信号サンプリング値は直交成分サンプリング値および同位相成分サンプリング値に基づいて連続的に配列され、結果的に１つのサンプリング時間における前記搬送周波数に対するＩ／Ｑデータ長は２ＷＤビットであり、したがって、Ｍ個の搬送周波数に対する同じサンプリング時間におけるＭ個のＩ／Ｑデータが連続的に配列され、２ＷＤビットの長さを有するデータブロックを形成し、最後に、Ｌ個のこのようなデータブロックはサンプリング時間インクリメントにしたがって連続的に配列されてＩ／Ｑデータフレームを形成し、その結果、全体のビット長は２ＭＷＤＬとなる。ＧＦＰ-Ｔフレーム化はバイト整列モードで行われるため、Ｌは、ＭＷＤＬ／４を整数にする最小値である。たとえば、１つのＲＲＵ（遠隔ＲＦ装置）のアンテナの数ＤがＤ＝２であり、サンプリングビット幅Ｗ＝１１であり、搬送周波数の番号Ｍ＝３であるとき、Ｌ＝２が選ばれ、そのＩ／Ｑデータフレーム長は３３バイトである。
【００２９】
ベースバンドＩ／Ｑ信号のＧＦＰ-Ｔフレームレベル多重化の第２の好ましい解決方法によると、同じ搬送周波数のベースバンドＩ／Ｑ信号、異なったアンテナのベースバンドＩ／Ｑ信号、および同じタイプの無線インターフェースプロトコルのベースバンドＩ／Ｑ信号は時分割多重化モードを使用して多重化され、その後同じＧＦＰ-Ｔフレーム中にカプセル化され、また、異なった搬送周波数のベースバンドＩ／Ｑ信号と異なったタイプの無線インターフェースプロトコルのベースバンドＩ／Ｑ信号とを伝送するＧＦＰ-ＴチャンネルはＧＦＰ-Ｔフレームレベル多重化され、その後ＣＰＲＩフレームの同じ位置にマップされてマルチプロトコル伝送を行う。この好ましい解決方法の利点は、いくつかの無線インターフェースプロトコルが異なった搬送周波数において異なった帯域幅をたとえばＷｉＭＡＸシステム等において使用することができ、１．２５ＭＨｚの帯域幅が１つの周波数において使用され、一方別の周波数においては５ＭＨｚの帯域幅が使用されることができることである。異なった搬送周波数の信号は異なった帯域幅を有しているため、第２の好ましい解決方法はさらに適用可能である。
【００３０】
図１１は、上述の解決方法におけるＩ／Ｑデータフレームフォーマットの好ましい実施形態をさらに示している。最初に、各アンテナからの１つの搬送周波数＃ｍ（ｍ＝１，２，・・・Ｍ）のＩ／Ｑベースバンド信号が同じサンプリング時間で連続的に配列され、ここで、各アンテナのＩ／Ｑベースバンド信号サンプリング値の配列シーケンスは、アンテナアレイまたはアンテナグループの空間的位置の配列シーケンスと同じであり、同じアンテナのＩ／Ｑベースバンド信号サンプリング値は直交成分サンプリング値および同位相成分サンプリング値に基づいて連続的に配列される。したがって、アンテナの数がＤであり、サンプリングビット幅がＷ（典型的に４〜２０である）である場合、１つのサンプリング時間における前記搬送周波数のＩ／Ｑデータ長は２ＷＤビットである。１つのＩ／Ｑデータフレームは、１つのサンプリング時間インクリメントにしたがって連続的に配列された前記搬送周波数に対するＬ個のＩ／Ｑデータから構成され、したがって結果的に全体のビット長は２ＷＤＬである。ＧＦＰ-Ｔフレーム化はバイト整列モードで行われるため、１つのＩ／Ｑデータフレームのビット長は８の倍数でなければならない。すなわち、そのビット長はＷＤＬ／４ビットでなければならない。一方、Ｉ／Ｑデータフレームは、フレーム化プロセスにおいて生じる固有の時間遅延を減少させるために可能な限り短くなければならない。サンプリングビット幅およびアンテナの数は固定されているので、ＬはＷＤＬ／４を整数にする最小値になる。たとえば、１つのＲＲＵ（遠隔ＲＦ装置）のアンテナの数がＤ＝２であり、サンプリングビット幅Ｗ＝１１である場合、Ｌ＝２が選ばれ、そのＩ／Ｑデータフレーム長は１１バイトである。
【００３１】
本発明におけるベースバンドＩ／Ｑ信号のＧＦＰ-Ｔフレームレベル多重化の第３の好ましい解決方法によると、同じ搬送周波数のベースバンドＩ／Ｑ信号、同じアンテナのベースバンドＩ／Ｑ信号、および同じタイプの無線インターフェースプロトコルのベースバンドＩ／Ｑ信号はそれぞれ最初に同じＧＦＰ-Ｔフレームにカプセル化され、また、異なった搬送周波数、異なったアンテナおよび異なったタイプの無線インターフェースプロトコルに対するベースバンドＩ／Ｑ信号を伝送するＧＦＰ-ＴチャンネルはＧＦＰ-Ｔフレームレベル多重化され、その後ＣＰＲＩフレームの同じ位置にマップされてマルチプロトコル伝送を行う。
【００３２】
図１２は、上述の解決方法におけるＩ／Ｑデータフレームフォーマットの好ましい実施形態をさらに示している。１つの搬送周波数＃ｍ（ｍ＝１，２，・・・Ｍ）および１つのアンテナ＃ｎ（ｎ＝１，２，・・・Ｄ）のＩ／Ｑベースバンド信号サンプリングデータがサンプリング時間シーケンスにしたがって連続的に配列され、また、Ｉ／Ｑベースバンド信号サンプリング値が直交成分サンプリング値および同位相成分サンプリング値に基づいて連続的に配列される。したがって、１つのＩ／Ｑデータフレームが連続したサンプリング時間における１つの搬送周波数および１つのアンテナのＬ個のＩ／Ｑデータから構成されている場合、１つのＩ／Ｑデータフレームの全体のビット長は２ＷＬである。ＧＦＰ-Ｔフレーム化はバイト整列モードで行われるため、ＬはＷＬ／４を整数にする最小値である。たとえば、１つのＲＲＵのサンプリングビット幅Ｗ＝１１である場合、Ｌ＝４が選ばれ、そのＩ／Ｑデータフレーム長は１１バイトである。
【００３３】
本発明におけるベースバンドＩ／Ｑ信号のＧＦＰ-Ｔフレームレベル多重化の第４の好ましい解決方法によると、同じ搬送周波数のベースバンドＩ／Ｑ信号、異なったアンテナのベースバンドＩ／Ｑ信号、および同じタイプの無線インターフェースプロトコルのベースバンドＩ／Ｑ信号は最初に時分割多重化モードを使用してＩ／Ｑデータフレームを形成し、その後異なった搬送周波数のベースバンドＩ／Ｑ信号および同じタイプの無線インターフェースプロトコルのベースバンドＩ／Ｑ信号は同じＧＦＰ-Ｔフレーム中にマップされた異なったスーパーブロックにより同じＧＦＰ-Ｔチャンネル上に多重化され、最後に異なったタイプの無線インターフェースプロトコルのベースバンドＩ／Ｑ信号を伝送するＧＦＰ-ＴチャンネルがＧＦＰ-Ｔフレームレベル多重化され、その後ＣＰＲＩフレームの同じ位置にマップされてマルチプロトコル伝送を行う。この解決方法においては、同じ搬送周波数のベースバンドＩ／Ｑ信号、異なったアンテナのベースバンドＩ／Ｑ信号および同じタイプの無線インターフェースプロトコルのベースバンドＩ／Ｑ信号が時分割多重化モードを使用してＩ／Ｑデータフレームを形成するモードに関して、それはベースバンドＩ／Ｑ信号のＧＦＰ-Ｔフレームレベル多重化の上述した第２の好ましい解決方法におけるＩ／Ｑデータフレーム形成モードと同じである。
【００３４】
図１３に示されているように、Ｍ（Ｍ≧１）個の搬送周波数に対する無線信号はそれぞれ、時分割多重化モードを使用して異なったスーパーブロックによってそれぞれ送信される。ＧＦＰ-Ｔフレームのペイロード部分においては、始めのＭ個のスーパーブロック（Ｍ×６７バイトの長さを有する）はそれぞれＭ個の異なった搬送周波数に対応し、ｐ（ｐ≧１）回連続的に反復する。すなわち、ＧＦＰ-Ｔフレームのスーパーブロックの合計数はＮ＝ｐＭである。この解決方法においては、Ｍ個の搬送周波数はＧＦＰ-Ｔチャンネルの伝送帯域を時間多重化し、各搬送周波数に対する無線信号の伝送は互いに分離される。
【００３５】
図１４は、上述の解決方法に基づいた無線インターフェースプロトコルのベースバンドＩ／Ｑ信号のＧＦＰ-Ｔフレームレベル多重化を示す概略図である。異なった搬送周波数に対するアンテナブランチのベースバンドＩ／Ｑ信号および同じ無線インターフェースプロトコルのベースバンドＩ／Ｑ信号は上記の解決方法に基づいて時間多重化され、その後同じＧＦＰ-Ｔチャンネルにおける各ＧＦＰ-Ｔフレームにおいてカプセル化され、一方異なったＧＦＰ-ＴチャンネルはＧＦＰ-Ｔフレームレベルでの多重化を行う。さらに、Ｉ／Ｑベースバンド信号データフローまたは時間多重化されたベースバンドＩ／Ｑ信号のデータフローを１つのＧＦＰ-Ｔフレーム中にカプセル化するプロセスにおいて、そのＧＦＰ-Ｔフレームは、実際には、詰込み文字を動的に挿入することにより自己適応信号レート適合を行う。ＧＦＰ-Ｔフレームは文字に基づいて整列され、詰込み文字は信号フロー中にバイト単位で挿入され、一方Ｉ／Ｑデータフレームは１つのバイトを境界として有するベースバンドＩ／Ｑ信号フローの最小単位であり、したがって詰込み文字はＩ／Ｑデータフレームの間に挿入されなければならない。
【００３６】
１．２  無線インターフェースプロトコルのベースバンドＩ／Ｑ信号のＣＰＲＩフレーム間多重化解決方法
本発明におけるベースバンドＩ／Ｑ信号のＣＰＲＩフレーム間多重化の第１の好ましい解決方法によると、異なったアンテナのベースバンドＩ／Ｑ信号、異なった搬送周波数のベースバンドＩ／Ｑ信号、および同じタイプの無線インターフェースプロトコルのベースバンドＩ／Ｑ信号は時分割多重化モードで多重化され、その後ＧＦＰ-Ｔフレームにおいてカプセル化される。一方、異なったタイプの無線インターフェースプロトコルのベースバンドＩ／Ｑ信号を伝送するＧＦＰ-ＴチャンネルはＣＰＲＩフレームの異なった位置にマップされて、ＣＰＲＩフレーム間多重化を使用してマルチプロトコル伝送を行う。異なった搬送周波数のベースバンドＩ／Ｑ信号、異なったアンテナのベースバンドＩ／Ｑ信号および同じタイプの無線インターフェースプロトコルのベースバンドＩ／Ｑ信号の時分割多重化モードは図１０に示されたＩ／Ｑデータフレームフォーマットを依然として使用することが可能であることが好ましい。
【００３７】
本発明におけるベースバンドＩ／Ｑ信号のＣＰＲＩフレーム間多重化の第２の好ましい解決方法によると、同じ搬送周波数のベースバンドＩ／Ｑ信号、異なったアンテナのベースバンドＩ／Ｑ信号、および同じタイプの無線インターフェースプロトコルのベースバンドＩ／Ｑ信号は時分割多重化モードで多重化され、その後ＧＦＰ-Ｔフレームにおいてカプセル化される。一方、異なった搬送周波数のベースバンドＩ／Ｑ信号および異なったタイプの無線インターフェースプロトコルのベースバンドＩ／Ｑ信号を伝送するＧＦＰ-Ｔチャンネルは、ＣＰＲＩフレームの異なった位置にマップされ、ＣＰＲＩフレーム間多重化を使用してマルチプロトコル伝送を行う。同じ搬送周波数のベースバンドＩ／Ｑ信号、異なったアンテナのベースバンドＩ／Ｑ信号および同じタイプの無線インターフェースプロトコルのベースバンドＩ／Ｑ信号の時分割多重化モードは依然として、図１１に示されたＩ／Ｑデータフレームフォーマットを使用することが可能であることが好ましい。
【００３８】
本発明におけるベースバンドＩ／Ｑ信号のＣＰＲＩフレーム間多重化の第３の好ましい解決方法によると、同じ搬送周波数のベースバンドＩ／Ｑ信号、同じアンテナのベースバンドＩ／Ｑ信号、および同じタイプの無線インターフェースプロトコルのベースバンドＩ／Ｑ信号は最初にＧＦＰ-Ｔフレームにおいてカプセル化される。一方、異なったタイプの無線インターフェースプロトコルの異なったアンテナの異なった搬送周波数に対するベースバンドＩ／Ｑ信号を伝送するＧＦＰ-ＴチャンネルはＣＰＲＩフレームの異なった位置にマップされ、ＣＰＲＩフレーム間多重化を使用してマルチプロトコル伝送を行う。同じタイプの無線インターフェースプロトコルの異なったアンテナの同じ搬送周波数に対するベースバンドＩ／Ｑ信号の時分割多重化モードは図１２に示されたＩ／Ｑデータフレームフォーマットを依然として使用できることが好ましい。
【００３９】
本発明におけるベースバンドＩ／Ｑ信号のＣＰＲＩフレーム間多重化の第４の好ましい解決方法によると、同じ搬送周波数のベースバンドＩ／Ｑ信号、異なったアンテナのベースバンドＩ／Ｑ信号、および同じタイプの無線インターフェースプロトコルのベースバンドＩ／Ｑ信号は最初に時間多重化されてＩ／Ｑデータフレームを形成し、その後異なった搬送周波数および同じタイプの無線インターフェースプロトコルのＩ／Ｑデータフレームは、同じＧＦＰ-Ｔフレーム中にマップされた異なったスーパーブロックにより同じＧＦＰ-Ｔチャンネル上に多重化される。一方、異なったタイプの無線インターフェースプロトコルのベースバンドＩ／Ｑ信号を伝送するＧＦＰ-Ｔチャンネルは、ＣＰＲＩフレームの異なった位置にマップされて、ＣＰＲＩフレーム間多重化を使用してマルチプロトコル伝送を行う。同じ搬送周波数のベースバンドＩ／Ｑ信号、異なったアンテナのベースバンドＩ／Ｑ信号および同じタイプの無線インターフェースプロトコルのベースバンドＩ／Ｑ信号の時分割多重化モードは図１１に示されたＩ／Ｑデータフレームフォーマットを依然として使用することができることが好ましい。
【００４０】
図１５は、上記の解決方法に基づいた無線インターフェースプロトコルのベースバンドＩ／Ｑ信号のＣＰＲＩフレーム内多重化を示す概略図である。異なった搬送周波数に対するアンテナブランチのベースバンドＩ／Ｑ信号および同じ無線インターフェースプロトコルのベースバンドＩ／Ｑ信号は上記の解決方法に基づいて時間多重化され、その後同じＧＦＰ-ＴチャンネルのＧＦＰ-Ｔフレームにおいてカプセル化され、一方異なったＧＦＰ-ＴチャンネルはＣＰＲＩリンクの異なった位置にセグメントに分かれた形でそれぞれマップされて、ＣＰＲＩフレーム間多重化を使用してマルチプロトコル伝送を行うことが認められる。さらに、ベースバンドＩ／Ｑ信号のデータフローまたは時間多重化されたベースバンドＩ／Ｑ信号のデータフローを１つのＧＦＰ-Ｔフレームにおいてカプセル化するプロセスにおいて、そのＧＦＰ-Ｔフレームは、実際には、詰込み文字を動的に挿入することにより自己適応信号レート適合を行う。ＧＦＰ-Ｔフレームは文字に基づいて整列され、詰込み文字は信号フロー中にバイト単位で挿入され、一方Ｉ／Ｑデータフレームは１つのバイトを境界として有するベースバンドＩ／Ｑ信号の最小単位であり、したがって詰込み文字はＩ／Ｑデータフレームの間に挿入されなければならない。
【００４１】
１．３  別の非無線インターフェースプロトコル信号の多重化解決方法
上述したように、非無線インターフェースプロトコルリンクの信号には、Ｅ１／Ｔ１、ＳＴＭ１等のような一定レートのリンクの構造化信号や、イーサネットＭＡＣフレーム信号、ＰＰＰ／ＨＤＬＣフレーム信号等のような構造化非一定レートリンク信号が含まれる。１００ＢＡＳＥ-Ｘイーサネットに関しては、前記イーサネットＭＡＣフレーム信号は４Ｂ／５Ｂラインコード化された信号または４Ｂ／５Ｂラインコード化されていないＭＡＣフレーム信号のいずれかであることができ、１０００ＢＡＳＥ-Ｘイーサネットに関しては、前記イーサネットＭＡＣフレーム信号は８Ｂ／１０Ｂラインコード化された信号または８Ｂ／１０Ｂラインコード化されていないＭＡＣフレーム信号のいずれかであることができる。
【００４２】
本発明によると、Ｅ１／Ｔ１、ＳＴＭ１等のような一定レートリンクの構造化信号や、イーサネットＭＡＣフレーム信号、ＰＰＰ／ＨＤＬＣフレーム信号等のような構造化非一定レートリンク信号を含む非無線インターフェースプロトコルリンクの信号は２つのモードを使用して多重化され、ＣＰＲＩを介して送信される。その１つのモードはＧＦＰ-Ｔフレームレベル多重化モードである。すなわち、各非無線インターフェースプロトコルリンクの信号はそれぞれ最初に１つの対応したＧＦＰ-Ｔフレームにおいてカプセル化され、対応した非無線インターフェースプロトコルリンクの信号を伝送するＧＦＰ-ＴチャンネルはＧＦＰ-Ｔフレームにおいて多重化され、ＣＰＲＩフレームの同じ位置にマップされ、マルチプロトコル伝送を行う。他方のモードは、ＣＰＲＩフレーム間多重化モードである。すなわち、各非無線インターフェースプロトコルリンクの信号はそれぞれ最初に１つの対応したＧＦＰ-Ｔフレームにおいてカプセル化され、対応した非無線インターフェースプロトコルリンクの信号を伝送するＧＦＰ-ＴチャンネルはＣＰＲＩフレームの異なった位置にマップされ、ＣＰＲＩフレーム間多重化を使用してマルチプロトコル伝送を行う。
【００４３】
１．４  ＧＦＰ-ＴフレームレベルおよびＣＰＲＩフレーム間混合多重化
無線インターフェースプロトコル信号および非無線インターフェースプロトコル信号のＧＦＰ-Ｔフレームレベル多重化およびＣＰＲＩフレーム間多重化の上記の解決方法に加えて、本発明はさらに、ＧＦＰ-ＴフレームレベルおよびＣＰＲＩフレーム間混合多重化の解決方法を可能にする。すなわち、無線インターフェースプロトコル信号または非無線インターフェースプロトコル信号をカプセル化する異なるＧＦＰ-Ｔチャンネルは複数のグループに分割されることができ、前記ＧＦＰ-Ｔチャンネルの各グループは一緒にＧＦＰ-Ｔフレームレベル多重化され、その後ＧＦＰ-Ｔフレームレベル多重化された信号フローの異なるグループが１つのＣＰＲＩフレームの異なった位置にマップされて、さらにＣＰＲＩフレーム間多重化でのマルチプロトコル伝送を行う。
【００４４】
２．クライアント信号のＧＦＰ-Ｔフレームカプセル化
上述したように、無線インターフェースプロトコル信号および非無線インターフェースプロトコル信号を含むクライアント信号は、ＧＦＰ-Ｔフレームレベル多重化を行うことができる。本発明によると、これは、異なるクライアント信号を識別するためにチャンネル識別子をＧＦＰ-Ｔ拡張ヘッダに導入することにより行われることができる。
【００４５】
上述したように、無線インターフェースプロトコルのベースバンドＩ／Ｑ信号は非構造化クライアント信号であり、伝送プロトコルは、無線フレームのスタートアップ、基地局番号等を含む対応した無線インターフェースプロトコルのフレームタイミング情報を提供する必要がある。通常、無線インターフェースプロトコルは無線フレームを基本的なタイミングとして使用し、このとき１つのタイプの無線インターフェースプロトコルは、各基地局タイミングの完全な同期（通常、ＧＰＳのようなグローバルなタイミングを使用するシステム）を必要とし、すなわち、各基地局が同じ無線フレームタイミングを有することを必要とし、すなわち、無線フレームのスタートアップ時間が同じであり、また、基地局フレーム番号が同じであり、別のタイプの無線インターフェースプロトコルは、各基地局タイミングの完全な同期を必要とせず、すなわち、各基地局がそれらの局部無線フレームタイミングを使用することを可能にし、すなわち、無線フレームのスタートアップ時間が異なっており、また、基地局フレーム番号もまた異なっている。分散された基地局においては、関与する無線インターフェースプロトコルがどのようなタイプでも、ＲＥはＲＥＣによって提供される無線フレームタイミングを獲得する必要がある。前記第２のタイプの無線インターフェースプロトコルに関しては、同じ基地局の異なった搬送周波数はおそらく異なった無線フレームタイミングを使用するが、しかし異なったアンテナの同じ搬送周波数は同じ無線フレームタイミングを有している。
【００４６】
本発明によると、無線インターフェースプロトコルのベースバンドＩ／Ｑ信号のフレームタイミング情報を送信する第１の方法は、無線フレームの開始位置、基地局フレーム番号等を含む対応した無線インターフェースプロトコルのフレータイミング情報を伝送するためにＧＦＰ-Ｔフレーム拡張ヘッダを使用することである。まず第一に、全てのタイプの信号の上述した多重化解決方法に基づいて、無線インターフェースプロトコルのベースバンドＩ／Ｑ信号の採用された多重化解決方法では、同じＧＦＰ-Ｔチャンネルにおいてカプセル化されたベースバンドＩ／Ｑ信号の各通路が同じ無線フレームタイミングを有するようにされる。したがって、ＧＦＰ-Ｔフレーム拡張ヘッダが無線フレームの開始位置、基地局フレーム番号、およびＧＦＰ-Ｔチャンネルにおいてカプセル化されたベースバンドＩ／Ｑ信号の少なくとも１つの通路の別のフレームタイミング情報を伝送する限り、対応したフレームタイミング情報は反対側の端末において復元されることができる。
【００４７】
図１６は、フレームタイミング情報伝送方法に基づいたＧＦＰフレーム拡張ヘッダの好ましい実施形態を示している。この拡張ヘッダは、１つの８ビットチャンネル識別子ＣＩＤと、１つの１ビットチャンネルタイプインジケータＣＴＩ（このビットが含まれているバイト内の別のビットは予約済みビットである）と、１６ビット無線フレーム開始ポインタと、ならびに１６ビット基地局フレーム番号と、および拡張ヘッダエラー制御ｅＨＥＣフィールドとから構成されている。この新しいＧＦＰ拡張ヘッダを示すために、１つの新しい値をペイロードヘッダＥＸＩフィールドに割当てる必要がある。００１１と１１１１との間の値は使用されないので、このＧＦＰフレームが本発明において規定された拡張ヘッダを含むことを表すために００１１と１１１１との間の任意の値が採用されることができる。
【００４８】
図１６に示されているＧＦＰフレーム拡張ヘッダにおいては、ＣＩＤは上述したＧＦＰ-Ｔフレームレベル多重化解決方法をサポートするために異なったクライアント信号チャンネルを示すためのものである。すなわち、無線フレーム開始ポインタはＧＦＰ-Ｔチャンネルにおいてカプセル化されたベースバンドＩ／Ｑ信号の第１の通路の無線フレーム開始位置をマークするものであり、基地局フレーム番号は、無線フレーム開始ポインタによって示された無線フレーム開始位置の後（あるいはそれの前）の無線フレームに対応したフレーム番号をマークするものである。このＣＴＩはＧＦＰ-Ｔチャンネルのタイプを示す、すなわち、無線インターフェースプロトコルのベースバンドＩ／Ｑ信号であるか否かを示すためのものであり、否である場合、無線フレーム開始ポインタおよび基地局フレーム番号フィールドは無視される。
【００４９】
上述したように、好ましい実施形態においては、無線フレーム開始ポインタは、ＧＦＰ-Ｔチャンネルにおいてカプセル化されたベースバンドＩ／Ｑ信号の第１の通路の無線フレーム開始位置をマークするためのものである。複数の表示方法が使用可能であるが、無線フレーム開始ポインタが対応する値は、サンプリングビット幅を単位として有するオフセットに対応しなければならず、このオフセットはＧＦＰ-Ｔフレームペイロード部分におけるＧＦＰ-Ｔチャンネル中のベースバンドＩ／Ｑ信号の第１の通路の第１のＩ／Ｑサンプリング値から始まって、無線フレーム開始位置が対応するサンプリング時間におけるＩ／Ｑサンプリング値で終わるものである。無線フレーム開始ポインタの値がゼロであるとき、それは、無線フレーム開始ポイント（無線フレーム境界）がＧＦＰ-Ｔフレーム中に現れないことを表している。
【００５０】
本発明によると、無線インターフェースプロトコルのベースバンドＩ／Ｑ信号のフレームタイミング情報を送信する第２の方法は、６４Ｂ／６５Ｂコードブロックの制御文字を対応したベースバンドＩ／Ｑ信号のフレーム境界インジケータとして使用することである。図１７は、このフレームタイミング情報伝送方法に基づいたＧＦＰフレーム拡張ヘッダの好ましい実施形態を示している。この拡張ヘッダは１つの８ビットチャンネル識別子ＣＩＤと、１つの１ビットチャンネルタイプインジケータＣＴＩ（このビットが含まれているバイト内の別のビットは予約済みビットである）と、１つの１６ビット基地局フレーム番号と、および拡張ヘッダエラー制御ｅＨＥＣフィールドとから構成されている。ＣＩＤは上述したＧＦＰ-Ｔフレームレベル多重化解決方法をサポートするために異なったクライアント信号チャンネルを示すためのものである。基地局フレーム番号は、この方法に基づいて獲得された無線フレーム開始位置の後（あるいはそれの前）の無線フレームに対応したフレーム番号をマークするものである。ＣＴＩはＧＦＰ-Ｔチャンネルのタイプを示す、すなわち、それが無線インターフェースプロトコルのベースバンドＩ／Ｑ信号であるか否かを示すためのものである。否である場合、基地局フレーム番号フィールドが無視される。
【００５１】
上述したように、本発明に関与するクライアント信号の大部分は非８Ｂ／１０Ｂコード化信号である。現在のＧＦＰ-Ｔは主として８Ｂ／１０Ｂラインコード化信号を狙って設計されている。ＧＦＰ仕様において、６４Ｂ／６５Ｂコードブロック中の制御文字の４つの最下位のビットは、制御コードを送信するためのものであり、一方４つの最上位のビットは、後続する制御文字の指示および元の８Ｂ／１０Ｂコード流における制御コードの位置識別のためのものである。ＧＦＰ-Ｔを使用して非８Ｂ／１０Ｂコード化信号を送信するために、本発明は６４Ｂ／６５Ｂコードブロック中の制御文字のビットおよび使用法を再定義する。一方ＧＦＰ-Ｔが本発明において新しく定義された非８Ｂ／１０Ｂコード化信号のＧＦＰ-Ｔフレームを送信することを示すために、ペイロードタイプ識別子（ＰＴＩ）が“００００”をとったとき、すなわち、ＧＦＰ-Ｔフレームがユーザデータフレームであるとき、ユーザペイロード識別子（ＵＰＩ）は“１１１１，０００〜１１１１，１１１０”の範囲の任意の値をとって、本発明において採用された特別な使用を表す。したがって、１つのＧＦＰフレームのペイロードタイプ識別子（ＰＴＩ）が“０００”であり、ユーザペイロード識別子（ＵＰＩ）が本発明において採用された特別な使用を示すために“１１１１，０００〜１１１１，１１１０”の範囲の１つの特定の値をとったとき、それはＧＦＰ-Ｔフレームによって伝送されたクライアント信号が非８Ｂ／１０Ｂコード化信号であることを表す。したがって、８Ｂ／１０Ｂコード化信号から６４Ｂ／６５Ｂコード化信号への変換は行われず、クライアント信号が直接送信され、さらに、６４Ｂ／６５Ｂコードブロックの制御文字は本発明の定義および使用法を使用する。
【００５２】
図１８は、無線インターフェースプロトコルのベースバンドＩ／Ｑ信号およびその他の非８Ｂ／１０Ｂコード化信号の伝送のためのＧＦＰ-Ｔフレームの６４Ｂ／６５Ｂコードブロックの制御文字の定義を示している。元のＧＦＰ仕様における定義および使用法と同様に、最上位ビット７ｂは６４Ｂ／６５Ｂコードブロック中の後続するバイトが制御文字であるか否かを示し、また、ｂ４〜ｂ０は制御コード自身を送信するためのものであり、また、ｂ６〜ｂ４は本発明に基づいた機能をマークする特別な位置のためのものである。元のＧＦＰ仕様と異なっているのは、特定の８Ｂ／１０Ｂ制御文字を送信する必要がないため、制御文字は６４Ｂ／６５Ｂコード化信号から８Ｂ／１０Ｂコード化信号に復元するためのものではなく、特別な使用のためのものである。
【００５３】
本発明によると、１つの義務的制御文字は詰込み文字であり、別のオプションの制御文字は無線フレーム境界指示文字である。非制限的な例示的な１例として、図１８では、詰込み文字を表すために“１１１１”が使用され、無線フレーム境界指示文字を表すために“１０１０”が使用され、このとき詰込み文字は自己適応信号レート適合のために使用され、一方無線フレーム境界指示文字は、無線インターフェースプロトコルのベースバンドＩ／Ｑ信号のフレームタイミング情報を送信する上記の第２の方法のために使用される。図１９は、６４Ｂ／６５Ｂコードブロックのデータ構成を示している。上述したように、Ｉ／Ｑデータフレームの間に既存の詰込み文字が存在してもよいことが認められ、また、図１０乃至１２に示されているように、Ｉ／Ｑデータフレームはサンプリング時間のシーケンスで配列されるため、１つの６４Ｂ／６５Ｂコードブロックは詰込み文字を含むか、あるいは複数のサンプリング開始時間ポイントを含む（すなわち、複数のサンプリング時間ポイントにおけるＩ／Ｑデータを含む）ことができる。通常サンプリング幅は４〜２０ビットであり（すなわち、１つのＩ／Ｑデータサンプリング値のビット幅は８〜４０ビットであり）、一方６４Ｂ／６５Ｂコードブロックはせいぜい８つのユーザデータ文字しか含んでいないので、１つの６４Ｂ／６５Ｂコードブロック中に含まれるサンプリングポイントの数は０〜８の範囲のものである。したがって、１つの６４Ｂ／６５Ｂコードブロックはゼロまたは１の無線フレーム境界指示文字を含んでいる可能性があり、また、１つの無線フレーム境界指示文字が含まれているとき、それは、６４Ｂ／６５Ｂコードブロック中に含まれている第１のサンプリング開始時間からカウントされたＸ番目（Ｘはｂ６〜ｂ４ビットに対応した値である）のサンプリング開始時間が、対応した無線フレームの境界（無線フレーム開始位置）であることを表す。無線フレームが対応する無線フレーム開始位置の後（あるいはそれの前）の無線フレームのフレーム番号は、ＧＦＰ-Ｔフレーム拡張ヘッダの基地局フレーム番号フィールドによって与えられる。
【００５４】
３．ＣＰＲＩへのＧＦＰ-Ｔフレームのマッピング
ＧＦＰ-ＴフレームをＣＰＲＩにマップするとは、クライアント信号を伝送する異なったＧＦＰ-ＴチャンネルがそれぞれＣＰＲＩリンクの異なった位置にセグメントに分かれた形でマップされ、ＣＰＲＩフレーム内多重化を使用してマルチプロトコル伝送を行うということであり、このときＧＦＰ-Ｔフレームは典型的に制御ワードを除くＣＰＲＩフレームの部分にマップされる。本発明によると、１つの解決方法は、前のＣＰＲＩ仕様にしたがってＷＣＤＭＡのベースバンドＩ／Ｑ信号を直接伝送するためにＡ×Ｃコンテナを依然として使用することであり、一方制御ワードを除いたＣＰＲＩフレームとＷＣＤＭＡのベースバンドＩ／Ｑ信号を伝送するＡ×Ｃコンテナの帯域幅は、ＧＦＰ-Ｔフレーム中にカプセル化されたクライアント信号を伝送し、本発明に基づいて別の無線インターフェースプロトコル信号および非無線インターフェースプロトコル信号を含むためのものである。別の解決方法は、本発明に記載されている方法を使用することにより、ＷＣＤＭＡを含む無線インターフェースプロトコルの全ての信号と非無線インターフェースプロトコルの信号とを送信することであり、このときＷＣＤＭＡ同期情報を含むＣＰＲＩフレームの制御ワードは依然として前のＣＰＲＩ仕様に従って使用される。
【００５５】
本発明によると、異なったＧＦＰ-ＴチャンネルのＧＦＰ-ＴフレームをＣＰＲＩ中にマップすることにより、図７に示されている２つのモード、すなわち、パックされた位置およびフレキシブルな位置が同様に採用されることができる。さらに、ＣＰＲＩ基本フレームの異なった位置にマップすることに加えて、前記マップするモードはまた１つの単位としての基本フレームに基づいたスケジューリングを可能にする。すなわち、異なったＧＦＰ-ＴチャンネルのＧＦＰ-Ｔフレームが異なったＣＰＲＩ基本フレームの同じセグメント位置にマップされることができる。たとえば、１つのＧＦＰ-ＴチャンネルのＧＦＰ-Ｔフレームは奇数番号を有するＣＰＲＩ基本フレームの１つのセグメント位置にマップされることができ、一方別のＧＦＰ-ＴチャンネルのＧＦＰ-Ｔフレームは偶数番号を有するＣＰＲＩ基本フレームの同じ位置にマップされることができる。
【００５６】
４．マルチプロトコル信号伝送プロセス
図２０ａは、本発明に基づいた送信端末システムの構造を示している。認識されるように、多数のアンテナ搬送波のＩ／Ｑサンプリングデータは上述の方法にしたがって時間多重化され、Ｉ／Ｑデータフレーム形成装置11によってＩ／Ｑデータフレームを形成し、その後６４Ｂ／６５Ｂコードブロック形成装置11によって６４Ｂ／６５Ｂコードブロックを形成し、さらに対応したＧＦＰ-Ｔフレーム形成装置12によってＧＦＰ-Ｔフレームを形成し、このとき６４Ｂ／６５Ｂコードブロック中の制御文字の定義および使用法は本発明に記載されている上述の方法を採用し、また、無線フレームタイミング情報等はまた上述の方法にしたがってＧＦＰ-Ｔフレームによって伝送される。非無線インターフェースプロトコルの８Ｂ／１０Ｂラインコード化信号はＧＦＰ-Ｔ仕様にしたがって６４Ｂ／６５Ｂラインコード化信号に変換され、その後６４Ｂ／６５Ｂコードブロックを形成して対応したＧＦＰ-Ｔフレームを構成する。非無線インターフェースプロトコルの非８Ｂ／１０Ｂラインコード化信号は８Ｂ／１０Ｂラインコード化信号から６４Ｂ／６５Ｂラインコード化信号への変換を行うのではなく、６４Ｂ／６５Ｂコードブロックを直接形成し、さらに対応したＧＦＰ-Ｔフレームを構成する。種々のタイプのクライアント信号のＧＦＰ-Ｔ信号フローは、送信スケジュール化およびＧＦＰ-Ｔフレームレベル多重化装置20によって送信スケジュール化の後にＧＦＰ-Ｔフレームレベルで一緒に多重化され、最終的にＣＰＲＩマップ装置30によってＣＰＲＩフレーム中の特定の位置にマップされる。さらに、ＷＣＤＭＡのＩ／Ｑ信号はまた前のＣＰＲＩプロトコルにしたがって送信されることができ、また、ＣＰＲＩ制御、管理および同期データ等は前のＣＰＲＩプロトコルにしたがって制御ワードチャンネルを介して送信される。上述したように、図２０ａに示されている本発明に基づいた送信端末システムの構造において、種々のタイプのクライアント信号のＧＦＰ-Ｔ信号フローは、ＧＦＰ-Ｔフレームレベル多重化を行わないことも可能であり、それらはＣＰＲＩフレームの異なった位置に直接マップされて、ＣＰＲＩフレーム内多重化を使用してマルチプロトコル伝送を行う。
【００５７】
図２０ｂは、本発明に基づいた受信端末システムの構造を示している。認識されるように、この受信端末は図２０ａに示されている送信端末の逆プロセスである。最初に、ＣＰＲＩフレーム処理装置130はＣＰＲＩフレーム処理を行って、ＷＣＤＭＡのＩ／Ｑ信号と、ＣＰＲＩ制御、管理および同期データと、ＧＦＰ-Ｔフレーム信号フローとを分離し、その後ＧＦＰ-Ｔフレーム処理およびデマルチプレクス装置100がＧＦＰ-Ｔフレーム処理を行って、信号フローを各ＧＦＰ-Ｔチャンネルから分離し、各ＧＦＰ-Ｔチャンネル中の６４Ｂ／６５Ｂコードブロックが６４Ｂ／６５Ｂ復号装置110により各クライアント信号を抽出し、このとき無線プロトコル信号フローはＩ／Ｑデータフレームデマルチプレクス装置120によって各アンテナ搬送波のＩ／Ｑ信号フローにさらに分離され、一方対応した無線フレーム同期情報等は対応したＧＦＰ-Ｔフレームから抽出される。
【００５８】
さらに、本発明は、無線移動通信システムの分散された基地局サブシステムにおいてマルチプロトコルクライアント信号の伝送を行う装置に関するものである。この装置は、本発明の上述した方法を使用して分散された基地局システム内において遠隔無線装置と主ベースバンド処理装置との間においてマルチプロトコルクライアント信号の伝送を行うために本発明において上述された送信端末装置および受信端末装置を備えている。この装置のその他の複合装置およびその動作モードは当業者に知られているため、ここでは詳細な説明は必要ない。
【００５９】
本発明は、本発明を行うためのモードを参照して詳細に説明されている。しかしながら、本発明の技術的範囲は上述したモードによって制限されるものではなく、本発明の技術的範囲を逸脱することなく種々の修正または変形が可能であることが当業者によって認識される。たとえば、本発明の上記のモードにおいて完了した各方法のステップはソフトウェア、ハードウェアまたはそれらの組合せを使用して行われることができる。全体として、本発明の技術的範囲は添付された特許請求の範囲によって規定される。
【図面の簡単な説明】
【００６０】
【図１】無線アクセスネットワークアーキテクチャおよび通常の基地局アーキテクチャの概略図。
【図２】ＧＦＰフレームペイロードヘッダ中のユーザペイロード識別子（ＵＰＩ）値とＧＦＰフレームペイロード中のユーザデータタイプの概略図。
【図３】ＧＦＰ拡張ヘッダの識別子の定義の概略図。
【図４】ＧＦＰ-Ｔフレーム構造の概略図。
【図５】ＣＰＲＩプロトコル構造の概略図。
【図６】６１４．４Ｍビット／秒のラインレートにおけるＣＰＲＩリンクのフレーム構造の概略図。
【図７】Ａ×Ｃコンテナが基本フレーム中にマップされる２つのモードの概略図。
【図８】従来技術のＣＰＲＩに基づく３搬送周波数ＣＤＡＭ２０００  １Ｘの伝送を示す概略図。
【図９】ＷＣＤＭＡ  ＲＥおよびＧＳＭ  Ｍｉｎｉ-ＢＴＳが同じ場所に配置された例に対するＣＰＲＩの適用を示す概略図。
【図１０】本発明による無線インターフェースプロトコルのベースバンドＩ／Ｑ信号のＧＦＰ-Ｔフレームレベル多重化の第１の好ましい解決方法における第１のＩ／Ｑデータフレームフォーマットを示す概略図。
【図１１】本発明による無線インターフェースプロトコルのベースバンドＩ／Ｑ信号のＧＦＰ-Ｔフレームレベル多重化の第２の好ましい解決方法における第２のＩ／Ｑデータフレームフォーマットを示す概略図。
【図１２】本発明による無線インターフェースプロトコルのベースバンドＩ／Ｑ信号のＧＦＰ-Ｔフレームレベル多重化の第３の好ましい解決方法における第３のＩ／Ｑデータフレームフォーマットを示す概略図。
【図１３】本発明による無線インターフェースプロトコルのベースバンドＩ／Ｑ信号のＧＦＰ-Ｔフレームレベル多重化の第４の好ましい解決方法におけるＧＦＰ-Ｔフレームペイロード部分の異なったスーパーブロックを使用して異なった搬送周波数を伝送することを示す概略図。
【図１４】図１０乃至１３に示されている本発明による無線インターフェースプロトコルのベースバンドＩ／Ｑ信号のＧＦＰ-Ｔフレームレベル多重化を示す概略図。
【図１５】本発明による無線インターフェースプロトコルのベースバンドＩ／Ｑ信号のＣＰＲＩフレーム内多重化を示す概略図。
【図１６】本発明に基づく図１５に示された無線インターフェースプロトコルのベースバンドＩ／Ｑ信号のＣＰＲＩフレーム内多重化の好ましい１つの解決方法におけるＧＦＰフレーム拡張ヘッダを示す概略図。
【図１７】本発明に基づく図１５に示された無線インターフェースプロトコルのベースバンドＩ／Ｑ信号のＣＰＲＩフレーム内多重化の好ましい別の解決方法におけるＧＦＰフレーム拡張ヘッダの概略図。
【図１８】本発明の６４Ｂ／６５Ｂコードブロックの制御文字の定義を示す概略図。
【図１９】６４Ｂ／６５Ｂコードブロックのデータ構成を示す概略図。
【図２０ａ】本発明の分散された基地局サブシステムにおいてマルチプロトコルクライアント信号を伝送する方法を使用してクライアント信号の送信を行う送信端末システムの構造を示す概略図。
【図２０ｂ】本発明の分散された基地局サブシステムにおいてマルチプロトコルクライアント信号を伝送する方法を使用してクライアント信号の受信を行う受信端末システムの構造を示す概略図。
【図１】
2007124608.tif 000003
【図２】
2007124608.tif 000004
【図３】
2007124608.tif 000005
【図４】
2007124608.tif 000006
【図５】
2007124608.tif 000007
【図６】
2007124608.tif 000008
【図７】
2007124608.tif 000009
【図８】
2007124608.tif 000010
【図９】
2007124608.tif 000011
【図１０】
2007124608.tif 000012
【図１１】
2007124608.tif 000013
【図１２】
2007124608.tif 000014
【図１３】
2007124608.tif 000015
【図１４】
2007124608.tif 000016
【図１５】
2007124608.tif 000017
【図１６】
2007124608.tif 000018
【図１７】
2007124608.tif 000019
【図１８】
2007124608.tif 000020
【図１９】
2007124608.tif 000021
【図２０ａ】
2007124608.tif 000022
【図２０ｂ】
2007124608.tif 000023